(57)【要約】【課題】仮に屋外に設置された場合であっても、接着剤が完全に硬化するまでの間、竪樋を仮固定しておくことができる竪樋控え具を提供する。【解決手段】本発明の竪樋控え具１は、磁性を有する竪樋６を壁面に固定するための竪樋控え具１である。磁石２４を有し且つ当該磁石２４の磁力により前記竪樋６を保持可能な仮固定部２２と、前記仮固定部２２により保持された竪樋６を接着固定するための本固定部２３とを有している。【選択図】図１
2012197636.tif 000002
【特許請求の範囲】
【請求項１】
磁性を有する竪樋を壁面に固定するための竪樋控え具であって、
磁石を有し且つ当該磁石の磁力により前記竪樋を保持可能な仮固定部と、
前記仮固定部により保持された竪樋を接着固定するための本固定部と
を有している
ことを特徴とする竪樋控え具。
【請求項２】
前記本固定部は、前記竪樋を固定する接着剤を保持可能な接着剤保持部により構成されたものである
ことを特徴とする請求項１に記載の竪樋控え具。
【請求項３】
前記接着剤保持部が、接着剤を内部に収容可能な収容凹部により構成されたものである
ことを特徴とする請求項２に記載の竪樋控え具。
【請求項４】
前記仮固定部の前記磁石が、前記本固定部の両側に配置されている
ことを特徴とする請求項１乃至請求項３のいずれか一項に記載の竪樋控え具。
【請求項５】
前記仮固定部及び前記本固定部が設けられた樋装着部と、
前記樋装着部を前記壁面に固定するための壁面固定部と
を備え、
前記樋装着部は、その横幅が前記竪樋の外径と略同じか又はそれよりも小さくなるよう形成されたものである
ことを特徴とする請求項１乃至請求項４のいずれか一項に記載の竪樋控え具。
【発明の詳細な説明】
【技術分野】
【０００１】
本発明は、竪樋控え具に関する。
【背景技術】
【０００２】
従来、竪樋を建物壁面に固定する際に用いられる竪樋控え具が知られている（例えば特許文献１参照）。この特許文献１記載の竪樋控え具は、建物壁面に沿って配設される竪樋を当該壁面に固定するためのものである。この竪樋控え具は、壁面に固定された状態で、竪樋を接着により保持する。
【０００３】
この竪樋控え具に竪樋を装着するには、施工者は、竪樋控え具の前面に接着剤を塗布すると共に両面粘着テープを貼着し、この状態で竪樋控え具に竪樋を押し当てるように施工する。これにより接着剤が完全に硬化するまでの間、両面粘着テープにより竪樋を仮固定しようとするものである。
【先行技術文献】
【特許文献】
【０００４】
【特許文献１】特開２００５−３０１００号公報
【発明の概要】
【発明が解決しようとする課題】
【０００５】
ところでこの特許文献１記載の竪樋控え具は、両面粘着テープを介して竪樋を仮固定した状態のまま、長時間、屋外に放置される。このように竪樋控え具が長時間屋外に放置された場合、仮に、接着剤が完全に硬化する前に雨が降ってしまうと、両面粘着テープが剥がれて竪樋が外れてしまうという問題があった。
【０００６】
本発明は、上記事情に鑑みてなされたものであり、その目的とするところは、たとえ屋外に設置された場合であっても、接着剤が完全に硬化するまでの間、竪樋を仮固定しておくことができる竪樋控え具を提供することにある。
【課題を解決するための手段】
【０００７】
本発明の竪樋控え具は、磁性を有する竪樋を壁面に固定するための竪樋控え具であって、磁石を有し且つ当該磁石の磁力により前記竪樋を保持可能な仮固定部と、前記仮固定部により保持された竪樋を接着固定するための本固定部とを有していることを特徴とする。
【０００８】
またこの竪樋控え具において、前記本固定部は、前記竪樋を固定する前記接着剤を保持可能な接着剤保持部により構成されたものであることが好ましい。
【０００９】
またこの竪樋控え具において、前記接着剤保持部が、接着剤を内部に収容可能な収容凹部により構成されたものであることが好ましい。
【００１０】
またこの竪樋控え具において、前記仮固定部の前記磁石が、前記本固定部の両側に配置されていることが好ましい。
【００１１】
またこの竪樋控え具において、前記仮固定部及び前記本固定部が設けられた樋装着部と、前記樋装着部を前記壁面に固定するための壁面固定部とを備え、前記樋装着部は、その横幅が前記竪樋の外径と略同じか又はそれよりも小さくなるよう形成されたものであることが好ましい。
【発明の効果】
【００１２】
本発明の竪樋控え具によれば、たとえ屋外に設置された場合であっても、接着剤が完全に硬化するまでの間、竪樋を仮固定しておくことができるようになる。
【図面の簡単な説明】
【００１３】
【図１】本実施形態の竪樋控え具が竪樋を保持した状態を示す水平断面図である。
【図２】本実施形態の樋装着部であり、（ａ）（ｂ）におけるＡ−Ａ線断面図であり、（ｂ）は正面図である。
【図３】本実施形態の樋装着部であり、（ａ）は側面図であり（ｂ）は背面図である。
【図４】本実施形態の壁面固定部であり、（ａ）は平面図であり（ｂ）は正面図である。
【発明を実施するための形態】
【００１４】
以下、本発明の実施形態について添付図面に基づいて説明する。
【００１５】
本実施形態の竪樋控え具１は、磁性を有し且つ円筒形状の竪樋６を、建物の壁面に固定するためのものである。竪樋控え具１は、図１に示されるように、竪樋６を保持するための樋装着部２と、この樋装着部２に設けられた壁面固定部４とを備えている。
【００１６】
樋装着部２は、図２に示されるように、平面視略Ｃ字状をしており、竪樋６の周方向の一部を保持するよう構成されている。樋装着部２は、水平方向の横幅（樋側から見て左右方向の幅）が、竪樋６の外径と略同じか又はそれよりも小さくなるよう形成されている。樋装着部２は、前面に樋当接部２１を有している。なお本実施形態の樋装着部２は、合成樹脂により形成されている。
【００１７】
樋当接部２１は、図１に示されるように、竪樋６における壁面に対向する側面（以下、壁面対向部６１という）が当接するよう構成されている。樋当接部２１は、図２に示されるように、磁石２４を有する仮固定部２２と、仮固定部２２により保持された竪樋６を接着固定するための本固定部２３とを備えている。
【００１８】
仮固定部２２は、複数の磁石２４を有しており、当該磁石２４の磁力により磁性を有する竪樋６を保持する。この本実施形態の仮固定部２２の磁石２４は、永久磁石により構成されている。この磁石２４は、樋装着部２の水平方向の両端部に、互いに離間した状態で配置されている。磁石２４は、樋装着部２の両端において上下方向の略全長に亘って設けられている。磁石２４は、その前面が樋当接部２１のその他の面と面一となるよう取り付けられている。磁石２４は、例えばインサート成形等により、樋装着部２に埋設され構成されている。なおこの磁石２４は、前面に露出していてもよいし、埋没した状態で合成樹脂により覆われていてもよい。
【００１９】
本固定部２３は、仮固定部２２により保持された竪樋６を接着固定するための部分である。本固定部２３は、樋装着部２の水平方向の略中央に設けられており、離設された一対の磁石２４の間に設けられている。本実施形態の本固定部２３は、接着剤を保持することができる接着剤保持部２５により構成されている。
【００２０】
接着剤保持部２５は、塗布した接着剤が流れてしまうのを防ぐために形成されている。本実施形態の接着剤保持部２５は、接着剤を内部に収容可能な収容凹所２６により構成されている。この収容凹所２６は、図２（ｂ）に示されるように、樋当接部２１の水平方向の略中央において、上下方向に長く形成されている。収容凹所２６は、水平方向に対向する一対の側壁部３２，３２と、上下方向に対向する上面部３３及び下面部３４と、奥面部３５とを備えている。収容凹所２６は、奥面部３５の水平方向の中間部分に隆起部２７を有している。この隆起部２７は、収容凹所２６の奥面部３５から樋側に向けて突出しており、その突出先端が、竪樋６の壁面対向部６１に近接対向しており、樋当接部２１よりもやや凹没して竪樋６の外側との間に間隙を形成する。
【００２１】
樋装着部２は、その背面側に壁面固定部４が装着される取着部２８を有している。この取着部２８は、図３に示されるように、横方向の両端部に設けられた一対の係止部２９と、この係止部２９同士を連結するリブ３０とを備えている。この係止部２９は、外側に向けて突出する係止爪３１により構成されている。なおこれら一対の係止部２９及びリブ３０は、樋装着部２として合成樹脂により一体成形されている。
【００２２】
壁面固定部４は、図１，４に示されるように、樋装着部２に取り付けられる固定具４１と、この固定具４１と壁面との間に接続され且つ樋装着部２を支持する取付具４２とを備えている。固定具４１は、横方向の両端に、樋装着部２の係止部２９と係合する被係止部４３を有している。固定具４１は、この一対の被係止部４３同士を連結し且つその横方向の略中央に固着部材４５を介して取付具４２が取り付けられる連結部４４を有している。
【００２３】
被係止部４３は、図４（ｂ）に示されるように、樋装着部２の係止部２９を挿通可能な挿通開口４６と、この挿通開口４６の前方側に位置する被係止片４７とを有している。被係止部４３は、樋装着部２が取り付けられると、挿通開口４６内に樋装着部２の係止爪３１が挿通された状態で、当該係止爪３１の前方に被係止片４７が位置し、樋装着部２の係止部を係止する。この状態で固定具４１は、図１に示されるように、横方向の幅が、樋装着部２と略同じとなるよう形成されている。
【００２４】
取付具４２は、連結部４４を介して、固定具４１に固定されている。本実施形態の取付具４２は、帯状の金属板をクランク状に曲げ加工することで成形されている。
【００２５】
このような構成の竪樋控え具１は、壁面固定部４の被係止部４３に、樋装着部２の係止部２９を係止することで組み立てられる。この竪樋控え具１は磁性を有する竪樋６を保持する。
【００２６】
竪樋６は、図１に示されるように、周壁に沿って磁性体６２が設けられている。本実施形態の竪樋６は、外周壁の肉厚内に、円筒状のスチール６３が埋設されて一体化されている。この竪樋６は、例えば、インサート成形等によってスチール６３が埋設される。なお、本実施形態では、磁性体６２としてスチール６３が埋設されているが、薄板状の磁石が埋設されていてもよい。
【００２７】
次に、本実施形態の竪樋控え具１に、竪樋６を装着して壁面に設置する施工方法を説明する。
【００２８】
施工者は、本実施形態の竪樋控え具１を壁面の所定の位置に、上下に離間して並設する。次いで施工者は、竪樋控え具１の収容凹所２６内に、接着剤を塗布して収容させる。この後、施工者は、竪樋控え具１の樋当接部２１に竪樋６の壁面対向部６１を押し付ける。
【００２９】
すると磁性を有する竪樋６は、竪樋控え具１の磁石２４に磁着する。これにより竪樋６は、樋当接部２１に密着した状態で、竪樋控え具１に保持される。この状態で、長時間放置すると、収容凹所２６内の接着剤が完全に硬化し、竪樋６が竪樋控え具１に接着固定される。
【００３０】
本実施形態の竪樋控え具１は、磁石２４を有する仮固定部２２と、仮固定された竪樋６を接着固定するための本固定部２３とを備えているため、磁力により竪樋６の位置を保持した状態を長時間維持することができる。これにより、接着剤が完全に硬化するまでの間に、竪樋６がずれてしまうことを防ぐことができる。また、本実施形態の竪樋控え具１は、仮固定部２２が磁石２４を有しているため、雨に晒されたとしても、竪樋６の保持力が低下しにくく、竪樋６を強固に仮保持することができる。しかも本実施形態の竪樋控え具１によれば、接着剤が完全に硬化した後は、接着剤の接着力だけでなく、磁石による磁着力をも常時働かせることができ、竪樋６と竪樋控え具１との間の接着が剥離しにくい。
【００３１】
また、本実施形態の竪樋控え具１は、本固定部２３が接着剤保持部２５により構成されているため、接着剤を塗布した後、竪樋６を装着する前に接着剤が流下してしまうのを防ぐことができる。さらに本実施形態の竪樋控え具１は、この接着剤保持部２５が収容凹所２６により構成されているため、接着剤の塗布した状態を保持できるだけでなく、竪樋６を押し付けたときに、接着剤がはみ出てしまうのを防ぐことができる。これにより、接着剤がはみ出て外観を害することを防ぐことができる。
【００３２】
また本実施形態の竪樋控え具１は、仮固定部２２の磁石２４が本固定部２３の両側に配置されているため、接着剤が塗布された本固定部２３と竪樋６との位置関係をより一層強固に保持することができる。これにより、本固定部２３から竪樋６の周壁が浮いてしまった状態で、接着剤が硬化してしまうのを防ぐことができる。
【００３３】
また本実施形態の竪樋控え具１は、樋装着部２の横幅が竪樋６の外径と略同じか又はそれよりも小さくなるよう形成されているため、竪樋６を設置した状態において、前方から見た場合に、竪樋６により竪樋控え具１を覆うことができる。本実施形態の竪樋控え具１は、竪樋６の壁面対向部６１だけを保持するため、見栄えを低下させるのを防ぎながら竪樋６を保持することができる。
【００３４】
しかも本実施形態では、竪樋６の肉厚内に磁性体６２が埋設されているため、竪樋６から磁性体６２が突出しておらず、さらに内部の排水流路内にも露出していない。このため、すっきりとした外観にできると共に、磁性体６２の錆や腐食も防ぐことができる。
【００３５】
また、本実施形態の竪樋控え具１は、磁性を有する竪樋６を、磁石２４で仮固定した状態で接着固定するものであるため、竪樋６の上下方向の取り付け箇所に制約がそれほどなく、作業性を向上させる。
【００３６】
なお本実施形態の竪樋控え具１は、円筒形状の竪樋６を保持するものであったが、本発明の竪樋控え具１は、角筒状の竪樋６を保持するものであってもよく、円筒形状の竪樋６を保持するものに限定されない。
【００３７】
また、本実施形態の竪樋控え具１は、接着剤保持部２５が収容凹所２６により構成されていたが、本発明の接着剤保持部２５は、例えば細かい凹凸のざらざらした面により構成されていてもよく、収容凹所２６にのみ限定されるものではない。
【００３８】
また本実施形態の竪樋控え具１は、樋装着部２と壁面固定部４とが、別部材で構成されたものであったが、本発明の竪樋控え具１は、これらが一体成形されたものであってもよく、この点限定されるものではない。
【００３９】
また本実施形態の磁石２４は、本固定部２３の水平方向の両側にのみ配置されたものであったが、本発明の磁石２４は、例えば本固定部２３を囲むように配置されたものであってもよく、少なくとも本固定部２３の両側に配置されていればよい。すなわち磁石２４が上下方向の両側に配置されたものであってもよい。
【００４０】
また本実施形態の竪樋控え具１は、樋装着部２の横幅が、竪樋６の外径と略同じか又はそれよりも小さくなるよう形成されたものであったが、本発明においてこの点は、必ずしも必要な構成ではない。
【００４１】
また本実施形態の竪樋控え具１は、樋装着部２が合成樹脂により形成されたものであったが、本発明の竪樋控え具において材質は、特に限定されるものではない。
【符号の説明】
【００４２】
１      竪樋控え具
２      樋装着部
２１    樋当接部
２２    仮固定部
２３    本固定部
２４    磁石
２５    接着剤保持部
２６    収容凹所
２７    隆起部
２８    取着部
２９    係止部
３０    リブ
３１    係止爪
４      壁面固定部
４１    固定具
４２    取付具
４３    被係止部
４４    連結部
４５    固着部材
６      竪樋
６１    壁面対向部
６２    磁性体
６３    スチール
【図１】
2012197636.tif 000003
【図２】
2012197636.tif 000004
【図３】
2012197636.tif 000005
【図４】
2012197636.tif 000006